(57)【要約】【課題】  高所での作業時間を少なくするとともに、埋め殺しとなるＨ鋼架台や支保工等が不要で、且つプレキャストコンクリート版とコンクリートのかぶり部分での剪断破壊を防止することができる橋脚頭部構造を提供すること。【解決手段】  脚頭部出来形に合わせ現場にてプレテンション方式でＰＲＣ版を製作、架設することができ、また、その版上で鉄筋・型枠・コンクリート打設を行えるため、高所での作業時間が激減し安全面で優れた施工方法となり、さらに、Ｈ鋼架台と支保工等が不要となるため、経済的にも有利となる。また、中空断面を有する橋脚の開口部に、周囲から複数の形鋼の突出したプレキャストコンクリート版を設置し、その上からコンクリートを打設して橋脚頭部を形成したので、脚頭部におけるプレキャストコンクリート版とコンクリートのかぶり部分での剪断破壊を防止することができる。【選択図】  図１
2006225961.tif 000002
【特許請求の範囲】
【請求項１】
中空断面を有する橋脚の開口部に、周囲から複数の形鋼の突出したプレキャストコンクリート版（RC版、PC版、PRC版）を設置し、その上からコンクリートを打設して橋脚頭部を形成したことを特徴とする橋脚頭部構造。
【請求項２】
前記プレキャストコンクリート版から突出した形鋼は、橋脚軸方向鉄筋と重ならないように配置されたことを特徴とする請求項１に記載の橋脚頭部構造。
【請求項３】
前記プレキャストコンクリート版は、複数に分割されていることを特徴とする請求項１または２に記載の橋脚頭部構造。
【請求項４】
前記プレキャストコンクリート版の上面は、脚頭部コンクリートとの付着を確保するために凹凸が形成されたことを特徴とする請求項１〜３の何れか１に記載の橋脚頭部構造。
【請求項５】
型枠の周囲から複数の形鋼を突出させた状態でプレキャストコンクリート版を製作する工程と、
中空断面を有する橋脚の開口部に前記周囲から突出した複数の形鋼が橋脚軸方向鉄筋と重ならないようにプレキャストコンクリート版を設置する工程と、
前記プレキャストコンクリート版敷設後の上部分に外型枠と鉄筋を設置する工程と、前記プレキャストコンクリート版の上にコンクリートを打設する工程とから成ることを特徴とする橋脚頭部の施工方法。
【請求項６】
型枠の周囲から複数の形鋼を突出させた状態で緊張材を緊張してプレキャストコンクリート版を製作する工程と、
中空断面を有する橋脚の開口部に前記周囲から突出した複数の形鋼が橋脚軸方向鉄筋と重ならないようにプレキャストコンクリート版を設置する工程と、
前記プレキャストコンクリート版敷設後の上部分に外型枠と鉄筋を設置する工程と、前記プレキャストコンクリート版の上にコンクリートを打設する工程とから成ることを特徴とする橋脚頭部の施工方法。
【発明の詳細な説明】
【技術分野】
【０００１】
本発明は、高架道路等を支える橋脚の頭部構造及びその施工方法に関するものである。
【背景技術】
【０００２】
橋脚の構造には、内部が中空状に構成されているものがある。しかし、このような中空状の橋脚であっても橋桁を支えるために頭部を中実にする必要がある。このために、中空部分に蓋をしてから、その上に配筋を行い、型枠を組んでからコンクリートを打設していた。
【０００３】
従来の橋脚頭部の施工方法としては、例えば、図８、９に示すように地上で組み立てた吊り足場１をクレーン等で橋脚２の橋頭部開口３に設置する。吊り足場１には、安全ネット５を予め取り付けておく。吊り足場１は、橋脚２に埋込まれている鉄筋６に固定する。設置した吊り足場１に作業員が乗って、既設のコンクリートにケミカルアンカーを打ち込みブラケット式Ｈ鋼架台４を施工する。そして、このブラケット式Ｈ鋼架台４の上にＨ鋼７を並べて設置する。吊り足場１及び安全ネット５を撤去した後、残りのＨ鋼７を配置し合板を組み立てて完了である。
【発明の開示】
【発明が解決しようとする課題】
【０００４】
しかし、上記従来の橋脚頭部の施工方法においては、高所における吊り足場で長時間作業をしなければならず、危険であった。また、ブラケット式Ｈ鋼架台と支保工はコンクリート硬化後は不要になるにもかかわらず、橋脚頭部に埋殺しとなり不経済であった。
更に、ブラケット式Ｈ鋼架台を構築せずに、橋脚頭部の開口部に直接プレキャストコンクリート版等を載せようとしても、橋脚軸方向鉄筋までの寸法が小さく、十分なかぶり寸法を確保することができず、橋脚頭部コンクリートのかぶり部分が剪断破壊を起こす虞れが存在した。
【０００５】
この発明は上記に鑑み提案されたもので、橋脚の開口部を塞ぐプレキャストコンクリート版の周囲から複数の形鋼を突出させ、脚頭部コンクリートのかぶり部分での剪断破壊を防止することのできる橋脚頭部構造及びその施工方法を提供することを目的とする。
【課題を解決するための手段】
【０００６】
上記目的を達成するために、本発明は、中空断面を有する橋脚の開口部に、周囲から複数の形鋼の突出したプレキャストコンクリート版を設置し、その上からコンクリートを打設して橋脚頭部を形成したことを特徴とする。
【０００７】
また、本発明において、前記プレキャストコンクリート版から突出した形鋼は、橋脚軸方向鉄筋と重ならないように配置されたことを特徴としている。
【０００８】
また、本発明において、前記プレキャストコンクリート版は、複数に分割されていることを特徴としている。
【０００９】
また、本発明は、前記プレキャストコンクリート版の上面は、脚頭部コンクリートとの付着を確保するために凹凸が形成されたことを特徴としている。
【００１０】
また、本発明は、型枠の周囲から複数の形鋼を突出させた状態でプレキャストコンクリート版を製作する工程と、中空断面を有する橋脚の開口部に前記周囲から突出した複数の形鋼が橋脚軸方向鉄筋と重ならないようにプレキャストコンクリート版を設置する工程と、前記プレキャストコンクリート版敷設後、上部分に外型枠と鉄筋を設置する工程と、前記プレキャストコンクリート版の上にコンクリートを打設する工程とから成ることを特徴としている。
【００１１】
また、本発明は、型枠の周囲から複数の形鋼を突出させた状態で緊張材を緊張してプレキャストコンクリート版を製作する工程と、中空断面を有する橋脚の開口部に前記周囲から突出した複数の形鋼が橋脚軸方向鉄筋と重ならないようにプレキャストコンクリート版を設置する工程と、前記プレキャストコンクリート版敷設後、上部分に外型枠と鉄筋を設置する工程と、前記プレキャストコンクリート版の上にコンクリートを打設する工程とから成ることを特徴としている。
【発明の効果】
【００１２】
この発明は上記した構成からなるので、以下に説明するような効果を奏することができる。
【００１３】
本発明では、中空断面を有する橋脚の開口部に、周囲から複数の形鋼の突出したプレキャストコンクリート版を設置し、その上からコンクリートを打設して橋脚頭部を形成したので、脚頭部コンクリートのかぶり部分での剪断破壊を防止することができる。また、従来のように高所における吊り足場での長時間作業を必要とせず安全となり、打ち込んだケミカルアンカーの固化を待つ必要もなく工期短縮になる。また、ブラケット式Ｈ鋼架台と支保工はコンクリート硬化後は不要になるにもかかわらず、埋殺しとなり不経済となる。
【００１４】
また、本発明では、前記プレキャストコンクリート版から突出した形鋼は、橋脚軸方向鉄筋と重ならないように配置されたので、橋脚１０から立ち上がった橋脚軸方向鉄筋の邪魔になることなく開口部を閉鎖することができる。
【００１５】
また、本発明では、前記プレキャストコンクリート版が複数に分割されているので、クレーン等で高所に吊り上げる際に設置作業が容易である。したがって、作業能率の向上を図ることができる。
【００１６】
また、本発明では、前記プレキャストコンクリート版の上面に凹凸が形成されたので、その上に打設するコンクリートとの接合性を向上することができる。
【００１７】
また、本発明では、型枠の周囲から複数の形鋼を突出させた状態でプレキャストコンクリート版を製作する工程と、中空断面を有する橋脚の開口部に前記周囲から突出した複数の形鋼が橋脚軸方向鉄筋と重ならないようにプレキャストコンクリート版を設置する工程と、前記プレキャストコンクリート版敷設後、上部分に外型枠と鉄筋を設置する工程と、前記プレキャストコンクリート版の上にコンクリートを打設する工程とから成るので効率的に橋脚頭部を施工することができる。
【００１８】
また、本発明では、型枠の周囲から複数の形鋼を突出させた状態で緊張材を緊張してプレキャストコンクリート版を製作する工程と、中空断面を有する橋脚の開口部に前記周囲から突出した複数の形鋼が橋脚軸方向鉄筋と重ならないようにプレキャストコンクリート版を設置する工程と、前記プレキャストコンクリート版敷設後、上部分に外型枠と鉄筋を設置する工程と、前記プレキャストコンクリート版の上にコンクリートを打設する工程とから成るので効率的に橋脚頭部を施工することができる。
【発明を実施するための最良の形態】
【００１９】
橋脚の開口部を塞ぐプレキャストコンクリート版の周囲から複数の形鋼を突出させ、脚頭部コンクリートのかぶり部分での剪断破壊を防止することのできる橋脚頭部構造及びその施工方法を実現した。
【実施例１】
【００２０】
以下、一実施の形態を示す図面に基づいて本発明を詳細に説明する。図１は本発明に係る橋脚頭部構造を示す説明図、図２は本発明に係る橋脚頭部の施工方法を示す説明図、図３は本発明に係る橋脚頭部の施工方法を示す説明図、図４は本発明の橋脚頭部の施工方法を示す平面図である。ここで、本実施例の橋脚頭部構造は、中空断面を有する橋脚１０の開口部１１に、周囲から複数の形鋼１２の突出したプレキャストコンクリート版１３を設置し、その上からコンクリートを打設して橋脚頭部１４を形成したものである。
【００２１】
図２は、本発明に係る橋脚頭部の施工方法を示す説明図、図３は本発明に係る橋脚頭部の施工方法を示す説明図である。図２は、橋脚１０の開口部１１にプレキャストコンクリート版１３を載せた状態を橋軸方向に切断した断面である。プレキャストコンクリート版１３の周囲から延設された形鋼１２は、橋脚１０の上面に延びた橋脚軸方向鉄筋１５に重ならないように配置されている。図３は、橋脚１０の開口部１１にプレキャストコンクリート版１３を載せた状態を橋軸直角方向に切断した断面である。本実施例において、形鋼１２は橋軸方向には、配設されていない。
【００２２】
図４は、本発明の橋脚頭部の施工方法を示す平面図である。プレキャストコンクリート版１３の周囲から延設された形鋼１２は橋脚軸方向鉄筋１５の邪魔にならない位置に配設されている。したがって、プレキャストコンクリート版１３を載せた場合に、橋脚１０の端部が欠け落ちたりする虞れもない。
【００２３】
図５は、本発明の橋脚頭部の施工方法に使用されるプレキャストコンクリート版を示す平面図、図６は、同橋脚頭部の施工方法に使用されるプレキャストコンクリート版を示す側面図である。本実施の形態では、プレキャストコンクリート版１３は、１３ａ、１３ｂ、１３ｃに３分割されている。また、プレキャストコンクリート版１３の上面、側面は、粗面仕上げが成されており、打設するコンクリートとの接合性を向上している。プレキャストコンクリート版１３の上面の適宜位置には、吊り込み用の吊り金具が埋設されている。
【００２４】
次に、橋脚頭部の施工方法について説明する。
先ず、プレキャストコンクリート版（ＰＲＣ版またはＰＣ版の場合）を製作する工程では、Ｈ鋼材等を使用してプレキャストコンクリート版の周囲を囲う簡易な緊張装置（Ｈ鋼反力架台）を組み立てる。簡易な緊張装置のため、施工現場にて容易にプレストレス導入ができる。次に、型枠、鉄筋を組み立てる。型枠の周囲から複数の形鋼１２を突出させ、ＰＣ鋼材を挿入した後、ジャッキ等でこのＰＣ鋼材を緊張する。その後、コンクリートを打設し、養生する。コンクリートの表面には、凝結遅延剤が散布または塗布してあり、表面、側面に高圧水を噴射することにより、粗面仕上げを行う。コンクリートの硬化後、ＰＣ鋼材の緊張を解放することにより、プレストレスを導入する。このようにして表面、側面に粗面仕上げが成されたプレキャストコンクリート版１３を製作することができる。
【００２５】
プレキャストコンクリート版を設置する工程では、中空断面を有する橋脚１０の開口部１１に周囲から突出した複数の形鋼１２が橋脚軸方向鉄筋１５と重ならないように、クレーン等で吊り上げる。この際、プレキャストコンクリート版１３は、３分割されているので据え付け作業が容易である。分割の数は、３に限ることなく、２分割でも４分割でもプレキャストコンクリート版１３の架設重量を考慮した分割数でよい。
【００２６】
外型枠と鉄筋を設置する工程では、橋脚１０の上面に載置したプレキャストコンクリート版１３の上部分に外型枠と鉄筋を設置する。外型枠は、橋脚頭部１４を形成する周囲に設置する。次に、コンクリートを打設する工程では、プレキャストコンクリート版１３の上で外型枠内にコンクリートを打設して橋脚頭部１４を形成する。このようにして、中空断面を有する橋脚１０の上に、橋脚頭部１４を施工することができる。
【００２７】
以上のような橋脚頭部の施工方法によれば、従来のように高所における吊り足場を必要とせず安全面で優れた施工方法であり、打ち込んだケミカルアンカーが固化するまで次の作業を待つ必要もなく、Ｈ鋼架台と支保工が不要となるため経済的に有利となる。また、橋脚軸方向鉄筋までの寸法が短く、十分なかぶり寸法を確保することができない場合でも、橋脚頭部コンクリートのかぶり部分が剪断破壊する虞れもない。
【図面の簡単な説明】
【００２８】
【図１】図１は、本発明に係る橋脚頭部構造を示す説明図である。
【図２】図２は、本発明に係る橋脚頭部の施工方法を示す説明図である。
【図３】図３は、本発明に係る橋脚頭部の施工方法を示す説明図である。
【図４】図４は、同橋脚頭部の施工方法を示す平面図である。
【図５】図５は、同橋脚頭部の施工方法に使用されるプレキャストコンクリート版を示す平面図である。
【図６】図６は、同橋脚頭部の施工方法に使用されるプレキャストコンクリート版を示す側面図である。
【図７】図７は、同脚頭の開口部にプレキャストコンクリート版を載せた際の鉄筋と形鋼との関係を示す要部説明図である。
【図８】図８は、従来の橋脚頭部の施工手順を示す説明図である。
【図９】図９は、従来の橋脚頭部の施工手順を示す説明図である。
【図１０】図１０は、従来の橋脚頭部の施工手順を示す説明図である。
【図１１】図１１は、従来の橋脚頭部の施工手順を示す説明図である。
【図１２】図１２は、従来の橋脚頭部の施工手順を示す説明図である。
【図１３】図１３は、従来の橋脚頭部の施工手順を示す説明図である。
【図１４】図１４は、従来の工法において橋脚頭部の開口部をＩ形鋼材で閉塞した状態を示す平面図である。
【符号の説明】
【００２９】
１０    橋脚
１１    開口部
１２    形鋼
１３    プレキャストコンクリート版
１４    橋脚頭部
１５    橋脚軸方向鉄筋
【図１】
2006225961.tif 000003
【図２】
2006225961.tif 000004
【図３】
2006225961.tif 000005
【図４】
2006225961.tif 000006
【図５】
2006225961.tif 000007
【図６】
2006225961.tif 000008
【図７】
2006225961.tif 000009
【図８】
2006225961.tif 000010
【図９】
2006225961.tif 000011
【図１０】
2006225961.tif 000012
【図１１】
2006225961.tif 000013
【図１２】
2006225961.tif 000014
【図１３】
2006225961.tif 000015
【図１４】
2006225961.tif 000016